【手続補正書】
【提出日】平成17年9月28日(2005.9.28)
【手続補正１】
【補正対象書類名】明細書
【補正対象項目名】特許請求の範囲
【補正方法】変更
【補正の内容】
【特許請求の範囲】
【請求項１】 遊技球の所定入賞口への入賞により発生する普通入賞情報を参照して、普通図柄の変動表示と、小当たり表示を含む確定表示とからなる普通抽選表示を行う普通図柄表示部と、前記小当たり表示に付随して、遊技者にとって有利となるよう作動する普通電動役物と、前記普通電動役物への遊技球の入賞により発生する特別入賞情報を参照して、特別図柄の変動表示と、大当たり表示を含む確定表示とからなる特別抽選表示を行う特別図柄表示部と、前記普通抽選表示中に発生した普通入賞情報を、それぞれ先の普通抽選表示の後において参照可能に記憶する普通保留記憶部と、前記特別抽選表示中に発生した特別入賞情報を、それぞれ先の特別抽選表示の後において参照可能に記憶する特別保留記憶部と、前記大当たり表示に付随して、遊技者にとって有利な大当たり状態が生起する遊技機であって、
前記普通保留記憶部に記憶可能な普通入賞情報の個数の上限である普通保留上限と、前記特別保留記憶部に記憶可能な特別入賞情報の個数の上限である特別保留上限とが異なっているとともに、普通保留上限および／または特別保留上限として複数の保留上限が定められており、
大当たり状態となるまでに要した特別抽選表示の回数である大当たり所要回数、あるいは乱数に応じて、それらの複数の保留上限の内の１つが設定されることを特徴とする遊技機。
【請求項２】 遊技球の所定入賞口への入賞により発生する普通入賞情報を参照して、普通図柄の変動表示と、小当たり表示を含む確定表示とからなる普通抽選表示を行う普通図柄表示部と、前記小当たり表示に付随して、遊技者にとって有利となるよう作動する普通電動役物と、前記普通電動役物への遊技球の入賞により発生する特別入賞情報を参照して、特別図柄の変動表示と、大当たり表示を含む確定表示とからなる特別抽選表示を行う特別図柄表示部と、前記普通抽選表示中に発生した普通入賞情報を、それぞれ先の普通抽選表示の後において参照可能に記憶する普通保留記憶部と、前記特別抽選表示中に発生した特別入賞情報を、それぞれ先の特別抽選表示の後において参照可能に記憶する特別保留記憶部と、前記大当たり表示に付随して、遊技者にとって有利な大当たり状態が生起する遊技機であって、
前記普通保留記憶部に記憶可能な普通入賞情報の個数の上限である普通保留上限が、前記特別保留記憶部に記憶可能な特別入賞情報の個数の上限である特別保留上限より高くなっているとともに、
大当たり状態となるまでに要した特別抽選表示の回数である大当たり所要回数、あるいは乱数に応じて、それらの複数の保留上限の内の１つが設定されることを特徴とする遊技機。
【請求項３】 前記普通保留上限または特別保留上限が、変更可能であることを特徴とする請求項１または請求項２に記載の遊技機。
【請求項４】 前記大当たり表示として確率変動表示を含み、その確率変動表示に付随して、遊技者にとって有利な確率変動状態が生起するとともに、その確率変動状態の生起に付随して、普通保留上限または特別保留上限がより高い高保留状態が生起することを特徴とする請求項３に記載の遊技機。
【請求項５】 前記大当たり表示として高保留表示を含み、その高保留表示に付随して、普通保留上限または特別保留上限が他の遊技状態より高い高保留状態を生起することを特徴とする請求項３または請求項４に記載の遊技機。
【請求項６】 前記確率変動状態が終了し、高保留状態時における普通入賞情報もしくは特別入賞情報の通算発生回数が所定値に達し、または高保留状態時における普通抽選表示もしくは特別抽選表示の回数が所定値に達した場合に、高保留状態を解除することを特徴とする請求項４または請求項５に記載の遊技機。
【請求項７】 前記確率変動状態中または高保留状態中における、特別図柄または普通図柄の変動表示時間は、他の遊技状態における変動表示時間より短く設定されていることを特徴とする請求項４乃至請求項６に記載の遊技機。
【請求項８】 前記高保留状態であることを報知する高保留報知手段をさらに備えたことを特徴とする請求項４乃至請求項７に記載の遊技機。
【請求項９】 前記小当たり表示を行うか否かについて、または大当たり表示を行うか否かについて、普通入賞情報または特別入賞情報に対応して取得する乱数によって判定するとともに、前記普通抽選表示中または特別抽選表示中に発生した普通入賞情報または特別入賞情報に対応する乱数の取得を、当該情報に基づく変動表示中に行うことを特徴とする請求項１乃至請求項８に記載の遊技機。
【手続補正２】
【補正対象書類名】明細書
【補正対象項目名】０００７
【補正方法】変更
【補正の内容】
【０００７】
【課題を解決するための手段】
請求項１に記載された遊技機は、遊技球の所定入賞口への入賞により発生する普通入賞情報を参照して、普通図柄の変動表示と、小当たり表示を含む確定表示とからなる普通抽選表示を行う普通図柄表示部と、前記小当たり表示に付随して、遊技者にとって有利となるよう作動する普通電動役物と、前記普通電動役物への遊技球の入賞により発生する特別入賞情報を参照して、特別図柄の変動表示と、大当たり表示を含む確定表示とからなる特別抽選表示を行う特別図柄表示部と、前記普通抽選表示中に発生した普通入賞情報を、それぞれ先の普通抽選表示の後において参照可能に記憶する普通保留記憶部と、前記特別抽選表示中に発生した特別入賞情報を、それぞれ先の特別抽選表示の後において参照可能に記憶する特別保留記憶部と、前記大当たり表示に付随して、遊技者にとって有利な大当たり状態が生起する遊技機であって、前記普通保留記憶部に記憶可能な普通入賞情報の個数の上限である普通保留上限と、前記特別保留記憶部に記憶可能な特別入賞情報の個数の上限である特別保留上限とが異なっているとともに、普通保留上限および／または特別保留上限として複数の保留上限が定められており、大当たり状態となるまでに要した特別抽選表示の回数である大当たり所要回数、あるいは乱数に応じて、それらの複数の保留上限の内の１つが設定されることを特徴とする。なお適宜、「所定入賞口への入賞」には、所定領域への通過が含まれるし、「表示に付随して」は「（時間的な前後を問わず）表示がされた場合に」や「表示に関連して」の意を含むし、「抽選表示の後において」は「少なくとも抽選表示を行うまでは（すなわち、各種抽選表示後も各種入賞情報を記憶していても良く）」や「（各種入賞情報が）参照されるまで」の意を含み、以下同様である。
【手続補正３】
【補正対象書類名】明細書
【補正対象項目名】０００８
【補正方法】変更
【補正の内容】
【０００８】
請求項２に記載された遊技機は、遊技球の所定入賞口への入賞により発生する普通入賞情報を参照して、普通図柄の変動表示と、小当たり表示を含む確定表示とからなる普通抽選表示を行う普通図柄表示部と、前記小当たり表示に付随して、遊技者にとって有利となるよう作動する普通電動役物と、前記普通電動役物への遊技球の入賞により発生する特別入賞情報を参照して、特別図柄の変動表示と、大当たり表示を含む確定表示とからなる特別抽選表示を行う特別図柄表示部と、前記普通抽選表示中に発生した普通入賞情報を、それぞれ先の普通抽選表示の後において参照可能に記憶する普通保留記憶部と、前記特別抽選表示中に発生した特別入賞情報を、それぞれ先の特別抽選表示の後において参照可能に記憶する特別保留記憶部と、前記大当たり表示に付随して、遊技者にとって有利な大当たり状態が生起する遊技機であって、前記普通保留記憶部に記憶可能な普通入賞情報の個数の上限である普通保留上限が、前記特別保留記憶部に記憶可能な特別入賞情報の個数の上限である特別保留上限より高くなっているとともに、大当たり状態となるまでに要した特別抽選表示の回数である大当たり所要回数、あるいは乱数に応じて、それらの複数の保留上限の内の１つが設定されることを特徴とする。
【手続補正４】
【補正対象書類名】明細書
【補正対象項目名】００８５
【補正方法】変更
【補正の内容】
【００８５】
【発明の効果】
請求項１に記載された遊技機は、普通保留上限と特別保留上限を異なる値に設定したので、普通電動役物の開成と特別抽選表示との関係が多様になり、非常に趣向性が高く、遊技者がいつまでも興味を持って遊技をし続けることができる。また、同一の高保留表示がなされた場合でも、同一の保留上限が設定されるとは限らないので、遊技機の趣向性がきわめて高い。
【手続補正５】
【補正対象書類名】明細書
【補正対象項目名】００８６
【補正方法】変更
【補正の内容】
【００８６】
請求項２に記載された遊技機は、普通保留上限を、特別保留上限より高く設定したため、特別抽選表示が連続する可能性が高く、特別抽選表示が長い間行われない事態を減少し、興味を惹き付けて遊技者は遊技をし続けることができる。また、同一の高保留表示がなされた場合でも、同一の保留上限が設定されるとは限らないので、遊技機の趣向性がきわめて高い。